(57)【要約】【課題】測定光が被検眼に照射されている場合でも、不適切な光量（光量過多）での照射となっていないかを認識できる機能を備えた眼科装置および眼科制御方法並びにプログラムを提供する。【解決手段】被検眼を照射する光源と、光源と被検眼との間の光路に設けられる照射光学系と、照射光学系の光路を分岐する第１の光路分岐部材を備え、被検眼からの戻り光の像を第１の像として結像する第１の結像光学系と、照射光学系の光路を分岐する第２の光路分岐部材を備え、被検眼を介さない光源から射出された光の像を第２の像として第１の像と異なる位置に結像する第２の結像光学系と、を有する。【選択図】図１
2014083232.tif 000002
【特許請求の範囲】
【請求項１】
被検眼を照射する光源と、
前記光源と前記被検眼との間の光路に設けられる照射光学系と、
前記照射光学系の光路を分岐する第１の光路分岐部材を備え、前記被検眼からの戻り光の像を第１の像として結像する第１の結像光学系と、
前記照射光学系の光路を分岐する第２の光路分岐部材を備え、前記被検眼を介さない前記光源から射出された光の像を第２の像として前記第１の像と異なる位置に結像する第２の結像光学系と、
を有することを特徴とする眼科装置。
【請求項２】
前記第１の像と前記第２の像とを、同一の撮像素子に結像することを特徴とする請求項１に記載の眼科装置。
【請求項３】
前記第１の像がリング像であり、前記第２の像がスポット像であることを特徴とする請求項２に記載の眼科装置。
【請求項４】
前記スポット像は前記リング像の内部に結像されることを特徴とする請求項３に記載の眼科装置。
【請求項５】
前記第２の像の出力が許容範囲を超える場合、前記被検眼への前記光源からの光の入射を制限する状態、または前記光源の消灯状態へ切替える切替え手段を有することを特徴とする請求項１乃至４のいずれか１項に記載の眼科装置。
【請求項６】
前記第２の像の出力が許容範囲を超える場合、前記第２の像の出力に基づいて、前記光源の光量を低下させるように制御する光量制御手段を備えることを特徴とする請求項１乃至５のいずれか1項に記載の眼科装置。
【請求項７】
前記第１の像と前記第２の像は、前記撮像素子の受光光量が等しくなるように、前記第１の結像光学系または前記第２の結像光学系を構成している光学部材の反射率または透過率が設定されていることを特徴とする請求項２乃至６のいずれか１項に記載の眼科装置。
【請求項８】
光源と被検眼との間の光路に設けられる照射光学系で被検眼を照射する照射ステップと、
前記照射光学系の光路を分岐する第１の光路分岐部材を備える第１の結像光学系で、前記被検眼で反射した前記光源の像を第１の像として結像する第１の結像ステップと、
前記照射光学系の光路を分岐する第２の光路分岐部材を備える第２の結像光学系で、前記被検眼を介さない前記光源の像を第２の像として前記第１の像と異なる位置に結像する第２の結像ステップと、
を有することを特徴とする眼科制御方法。
【請求項９】
請求項８に記載の眼科制御方法の各ステップをコンピュータに実行させるための眼科制御プログラム。
【発明の詳細な説明】
【技術分野】
【０００１】
本発明は、眼科装置および眼科制御方法並びにプログラムに関する。
【背景技術】
【０００２】
現在、医療機器の様々な規格が整備されてきている中で、検査、測定、加工などを行う眼科機器にとっても、被検眼にとって安心できる光量を用いた装置の実現が必要になってきている。一方で、様々な被検者に対応して、より正確な診断を行うために装置の性能向上も必須となっている。そのため、高光量のレーザ光源などを利用する必要がある。したがって、安心できることを確保するための優れたインターロック機構などの開発が必要になっている。
【０００３】
従来技術としては、参照光の光量に基づいて光路を遮るシャッタ等の開閉を行う（参照光の光量が許容範囲内にあれば測定を実行し、許容範囲内になければ測定を実行しない）ＯＣＴ装置が知られる（特許文献１）。
【先行技術文献】
【特許文献】
【０００４】
【特許文献１】特開２０１１−２７７１５号公報
【発明の概要】
【発明が解決しようとする課題】
【０００５】
しかしながら、特許文献１では、測定光が被検眼に照射されていない状態で検出された参照光の光量に基づいて、被検眼に対して測定光が照射されるか否かが切替えられる。これによると、測定光が被検眼へ照射されている場合の参照光の光量検出は行われていないため、照射中の被検眼に対して、レーザ光束が不適切なものとならないようにする点で改善の余地がある。
【０００６】
本発明の目的は、測定光が被検眼に照射されている場合でも、不適切な光量（光量過多）での照射となっていないかを認識できる機能を備えた眼科装置および眼科制御方法並びにプログラムを提供することにある。
【課題を解決するための手段】
【０００７】
上記目的を達成するために、本発明に係る眼科装置の代表的な構成は、被検眼を照射する光源と、前記光源と前記被検眼との間の光路に設けられる照射光学系と、前記照射光学系の光路を分岐する第１の光路分岐部材を備え、前記被検眼からの戻り光の像を第１の像として結像する第１の結像光学系と、前記照射光学系の光路を分岐する第２の光路分岐部材を備え、前記被検眼を介さない前記光源から射出された光の像を第２の像として前記第１の像と異なる位置に結像する第２の結像光学系と、を有することを特徴とする。
【０００８】
更に、本発明に係る眼科制御方法の代表的な構成は、光源と被検眼との間の光路に設けられる照射光学系で被検眼を照射する照射ステップと、前記照射光学系の光路を分岐する第１の光路分岐部材を備える第１の結像光学系で、前記被検眼で反射した前記光源の像を第１の像として結像する第１の結像ステップと、前記照射光学系の光路を分岐する第２の光路分岐部材を備える第２の結像光学系で、前記被検眼を介さない前記光源の像を第２の像として前記第１の像と異なる位置に結像する第２の結像ステップと、を有することを特徴とする。
【０００９】
更に、眼科制御プログラムも本発明の他の一側面を構成する。
【発明の効果】
【００１０】
本発明によれば、測定光が被検眼に照射されている場合でも、不適切な光量（光量過多）での照射となっていないかを認識できる。
【図面の簡単な説明】
【００１１】
【図１】（ａ）は本発明の第１の実施形態に係る眼屈折力測定装置の光学配置の一例を示す図、（ｂ）は機能ブロック図である。
【図２】第１の実施形態に係る撮像素子上での測定リング像と参照スポット像の配置の一例を示す図である。
【図３】（ａ）は第１の実施形態に係る動作の一例を説明するためのフローチャート、（ｂ）はステップＳ４の詳細なフローチャート、（ｃ）は各走査線位置での検出される信号の数を示す図である。
【図４】変形例に係る屈折力測定装置の光学配置の一例を示す図である。
【図５】本発明の実施形態に係るアライメントプリズム絞りの斜視図である。
【図６】（ａ）はアライメントプリズム絞りを用いた前後方向のアライメントが合った状態の説明図、（ｂ）は遠すぎる状態の説明図、（ｃ）は近すぎる状態の説明図である。
【発明を実施するための形態】
【００１２】
以下、図面を参照しながら本発明の実施形態の一例を説明する。
【００１３】
《第１の実施形態》
図１（ａ）は、本発明の第１の実施形態に係る眼屈折力測定装置の光学配置の一例を示す。
【００１４】
（固視標投影光学系とアライメント受光光学系）
先ず、ダイクロイックミラー１０７の反射方向には、固視標投影光学系と、被検眼の前眼部観察とアライメント検出が共用されるアライメント受光光学系が配置されている。固視標投影光学系の光路０５上には、レンズ１１４、ダイクロイックミラー２１２、レンズ１１９、折り返しミラー１２０、レンズ１２１、固視標１２２、固視標照明用光源１２４が順次に配列されている。
【００１５】
固視誘導時に、点灯された固視標照明用光源１２４の投影光束は、固視標１２２を裏側から照明し、レンズ１２１、折り返しミラー１２０、レンズ１１９、レンズ１１４を介して被検眼Ｅの眼底Ｅｒに投影される。なお、レンズ１２１は被検眼Ｅの視度誘導を行い、雲霧状態を実現するために、固視誘導モータ１２３により光軸方向に移動できるようになっている。
【００１６】
また、ダイクロイックミラー２１２の反射方向の光路０４上には、アライメントプリズム絞り２２３、レンズ１１６、絞り１１７、撮像素子１１８が順次に配列され、被検眼の前眼部観察とアライメント検出を行うことができる。ここで、アライメントプリズム絞り２２３は、アライメントプリズム絞り駆動ソレノイド（不図示）により駆動され、絞り１１７は絞り駆動ソレノイド（不図示）により駆動される。
【００１７】
アライメントプリズム絞り２２３の挿抜により、アライメントプリズム絞り２２３が光路０６上にある時にはアライメントを、光路から退避しているときは前眼部観察または徹照観察を行うことができる。
【００１８】
アライメントプリズム絞り２２３は、図５に示すように円盤状の絞り板に３つの開口部（中央部の２２３ａと左右方向の両端部２２３ｂ、２２３ｃ）が設けられる。また、左右方向の両端部の開口部２２３ｂ、２２３ｃのダイクロイックミラー２１２側には例えば波長８８０ｎｍ付近のみの光束を透過するアライメントプリズム３０１ａ、３０１ｂが夫々貼付される。
【００１９】
また、被検眼Ｅの前眼部の斜め前方には、例えば７８０ｎｍ程度の波長を有する前眼部照明光源１２５ａ、１２５ｂが配置されている。前眼部照明光源１２５ａ、１２５ｂで照明された被検眼前眼部からの光束は、ダイクロイックミラー１０７、レンズ１１４、ダイクロイックミラー２１２、アライメントプリズム絞り２２３の中央開口部２２３ａを介して撮像素子２２０の受光センサ面に結像する。ここで、アライメントプリズム絞り２２３の中央の開口部２２３ａは、前眼部照明光源２２１ａ、２２１ｂの波長７８０ｎｍ以上の光束が通るようになっている。
【００２０】
（アライメント）
アライメント検出のための光源は、眼屈折力測定用の測定光源１０１と兼用されている。アライメント時には、半透明の拡散板１０５が拡散板駆動ソレノイドにより光路に挿入される。拡散板１０５が挿入される位置は、前記の測定光源１０１の投影レンズ１０２による一次結像位置であり、かつレンズ１０６の焦点位置に挿入される。これにより、測定光源１０１の像が拡散板１０５上に一旦結像して、それが二次光源となりレンズ１０６から被検眼Ｅに向かって太い光束の平行光束として投影される。
【００２１】
この平行光束が被検眼角膜Ｅｆで反射されて輝点像を形成する。そして、光束は再びダイクロイックミラー１０７でその一部が反射され、レンズ１１４を介して更にダイクロイックミラー２１２で反射し、アライメントプリズム絞り２２３を透過し、レンズ１１６に収斂されて撮像素子１１８に結像される。
【００２２】
即ち、アライメントプリズム絞り２２３の開口部２２３ａ、２２３ｂ、２２３ｃおよびプリズム３０１ａ、３０１ｂにより分割された光束が、指標像Ｔａ、Ｔｂ、Ｔｃとして撮像素子２２０に形成される。また、外眼照明光源２２１ａ、２２１ｂの輝点像２２１ａ’、２２１ｂ’が、外眼照明光源２２１ａ、２２１ｂによって照明された被検眼前眼部とともに、撮像素子２２０で撮像される。
【００２３】
図６（ａ）に示すように、３つの角膜輝点Ｔａ、Ｔｂ、Ｔｃが水平方向に直交する方向に１列に並んだ状態でアライメントを完了する。Ｚ方向（前後方向）のアライメントが不良状態では、遠すぎる場合は図６（ｂ）、近すぎる場合は図６（ｃ）のようになる。
【００２４】
（屈折力測定）
光路０１に係る光学系は、眼屈折力測定用である。測定光源１０１から発せられた光束は、絞り１０３で光束が絞られつつ、レンズ１０２によりレンズ１０６の手前で１次結像され、レンズ１０６、ダイクロイックミラー１０７を透過して被検眼Ｅの瞳中心に投光される。その光束は眼底Ｅｒで結像され、その反射光は瞳中心を通って再びレンズ１０６に入射される。入射された光束はレンズ１０６を透過後に、孔あきミラー１０４（被検眼を照射する照射光学系の光路０１を分岐する第１の光路分岐部材として機能）の周辺で反射される。
【００２５】
反射された光束は、レンズ１０６、１１１を含む第１の結像光学系により、被検眼瞳孔Ｅｐと共役なリング状絞り１０９で瞳分離され、各経線方向に光束を変位させるプリズム１１０を介して、撮像素子１１２の受光面にリング像として結像される。被検眼Ｅが正視眼であれば、このリング像は所定の円になり、近視眼では円の曲率が小さく、遠視眼では円の曲率が大きくなる。被検眼Ｅに乱視がある場合、リング像は楕円になり、水平軸と楕円の長軸でなす角度が乱視軸角度となる。この楕円の係数を基に屈折力を求める。撮像素子１１２で撮像された像に関しては、モニタ２００により検者が視認可能である。
【００２６】
（レーザ照射判断のための参照光）
ここで、眼屈折力測定用の測定光源１０１は、一例として近赤外光である波長８８０ｎｍのレーザ光を発生させるＳＬＤ（Ｓｕｐｅｒ  Ｌｕｍｉｎｅｓｃｅｎｔ  Ｄｉｏｄｅ）を用いる。この測定光源１０１は、以下に説明するレーザ照射判断のための参照光の光源として兼用される。
【００２７】
被検眼を照射する照射光学系の光路０１を分岐する第２の光路分岐部材としての光分割ミラー１２６で反射された光が進む光路０２は、レーザ光源１０１から投影された投影光の一部を光路０２を経由して参照光としてモニタするための光路である。即ち、測定光源１０１から射出されたレーザ光束は、レンズ１０２、絞り１０３、光分割ミラー１２６、ミラー１２７、光分割ミラー１２８を備える第２の結像光学系で、スポット像として撮像素子２１０に結像される。
【００２８】
一方、測定光は、被検眼Ｅで反射された後、リング状絞り１０９で瞳分離され、プリズム１１０、レンズ１１１を介して、撮像素子１１２の受光面にリング像として結像される。測定光がリング状の光束となり、参照光がスポット状の光束となるために、参照光が光路０３へ入る位置（即ち、光分割ミラー１２８の位置）は、絞り１０９よりも撮像素子１１２に近くなければならない。
【００２９】
図２に、本実施形態に係る撮像素子１１２における測定光のリング像と、その内部に形成される参照光のスポット像の位置関係を示す。３０１は撮像素子１１２の有効画素面を示している。また、３０２ａは被検眼のディオプタが最もプラス側のリング像、３０２ｂは被検眼のディオプタが最もマイナス側のリング像を示している。したがって、リング像３０２ｂよりも中心に近い領域では、測定で使用しない領域となる。３０３は参照光によるスポット像であり、リング像３０２ｂと重ならないように中心付近に位置している。
【００３０】
撮像素子１１２の２次元面上では、眼屈折力の測定可能範囲の中でディオプタの最もプラス側のリング像と、最もマイナス側のリング像が、どこの領域で撮像されるかが設定されている。即ち、撮像素子１１２の２次元面上でリング像の検出には使用しない領域が予め分かっている。その領域に参照光のスポット像を結像させることで、リング像の測定中においても参照光によって、レーザ光源の状態をモニタすることができる。なお、リング像とスポット像の位置関係は図３に示すものに限定されるものではなく、リング像とスポット像とが重なり合わない位置関係であれば図３に示す位置関係でなくともよい。
【００３１】
（測定光と参照光の受光光量差）
ここで、測定光と参照光とは、同じレーザ光源から発せられた光束であるが、撮像素子１１２までの光路が異なるため、撮像素子上での受光光量が異なる。測定光と参照光とを同時測定するには、撮像素子において測定ゲインを同じにすることが望ましく、測定光と参照光との受光光量差を抑えることが望ましい。測定ゲインを同じにすることで、測定時にゲイン調整をすることなく参照光と測定光とを測定でき、またノイズレベルが同じになることで参照光と測定光との測定誤差が少なくすることが可能となる。
【００３２】
なお、本発明における「同時」や「同じ」との文言は、厳密に同時や同一の場合のみを含む概念ではなく、略同時や略同一の場合をも含む概念である。
【００３３】
図１（ａ）において、測定光の減衰率は、ダイクロックミラー１０７から穴あきミラー１０４を介して光路０３の光分割ミラー１２８に至るまでの間で決まる。ここで、ダイクロックミラー１０７による透過率が９０％、被検眼眼底で入射光が反射され戻る反射率が０．1％、再び光束が通過するダイクロックミラー１０７の透過率が９０％、穴あきミラー１０４の反射による損失は無いものとする。また、穴あきミラー１０４で反射された光路０３でのプリズム１１０の透過率９０％とすると、測定光の減衰率はおよそ０．１５％になる。
【００３４】
一方で、参照光の減衰率は、光路０２の光分割ミラー１２６から光分割ミラー１２８までの間で決まる。測定光の減衰率はおよそ０．１５％になるため、光分割ミラー１２６のみで減衰率０．１５％を補うとすると、光路０１への透過率は９９．８５％程度、また光路０２への反射は０．１５％程度にすればよい。
【００３５】
これに対して、光路０２上に光学部材を追加して参照光の受光光量を設定する場合には、光分割ミラー１２６とミラー１２７の間や、ミラー１２７と光分割ミラー１２８の間に、予め透過率を決めた光学フィルターを挿入する。例えば、光分割ミラー１２６による透過と反射が５０対５０である場合には、測定光は、５０×０．１５％＝０．０７５となるため、参照光は、測定光の０．０７５付近にするべく、透過率０．１５％程度の光学フィルターなどを挿入すればよい。
【００３６】
これにより、参照光の受光光量を設定することができる。ここで、挿入する光学フィルターの透過率は、前記測定光の減衰率に基づいて、測定光と参照光が同等の光量になるように決める。
【００３７】
また、光路０２を構成する光分割ミラー１２６、１２８、ミラー１２７の反射率や透過率で参照光の受光光量を設定する場合には、光分割ミラー１２６の透過率や光分割ミラー１２８、ミラー１２７の反射率を変える。これにより、参照光の受光光量を設定することができる。ここで、ミラーの透過率や反射率は、前記測定光の減衰率に基づいて、測定光と参照光が同等の光量になるように決める。
【００３８】
（レーザ照射切替えと光源光量調整）
被検眼への光源からの光の入射を制限する状態と、被検眼への光源からの光の入射を制限しない状態を切替えるシャッタ１０８による被検眼へのレーザ光束の照射切替えは、次のように実施される。先ず、測定開始直後の状態では、シャッタ１０８が遮光状態となり、レーザ光束が被検眼に照射されないようにしてある。
【００３９】
光路０１がシャッタ１０８によって遮断されているため、光路０３に測定光が戻ってくることはない。一方、参照光は、光源１０１からレンズ１０２、絞り１０３を通り、光分割ミラー１２６で反射され、光路０２に入り、ミラー１２７、光分割ミラー１２８で反射され、撮像素子１１２の有効画素面３０１上のリング像で使用しない領域である中心付近に結像される。
【００４０】
ＣＰＵ１１３は、中心付近に結像されたスポット像の出力値と、予め設定されている所定値を比較する。そして、出力値が所定値以下であった場合（許容範囲内にある場合）には、ＣＰＵ１１３はシャッタ１０８の駆動回路（不図示）を制御し、光路０１を開放する。即ち、レーザ光束が被検眼へ照射される状態へ切替える。ここで、所定値とは、例えば被検眼に有害な影響を与えることがない最大値である。一方、出力値が所定値を超えた場合（許容範囲内にない場合）には、ＣＰＵ１１３は光路０１を遮断した状態を維持し、レーザ光源光量を所定値を超えないように調整する。
【００４１】
以上は、レーザ光束が被検眼へ照射される測定の前の状態に関するものであるが、レーザ光束が被検眼へ照射される測定中の状態であっても、ＣＰＵ１１３は出力値と所定値を比較している。そして、出力値が所定値を超えた場合（許容範囲内にない場合）、ＣＰＵ１１３は直ちに、シャッタ１０８の駆動回路（不図示）を制御して光路０１を遮断し、レーザ光源光量の調整を行う。光量制御手段としてのＣＰＵ１１３によるレーザ光源光量の調整は、レーザ光源の電流や電圧の制御により行う。これにより、レーザ光源光量を低下させ、出力値が所定値以下（許容範囲内）となる。
【００４２】
そして、出力値が所定値以下（許容範囲内）になれば、ＣＰＵ１１３はシャッタ１０８の駆動回路（不図示）を制御することによって、光路０１を開放し、レーザ光束が被検眼に照射可能となる。
【００４３】
しかし、レーザ光源光量を制御しても出力値が所定値以下（許容範囲内）にならない場合には、装置の故障などの可能性があるため、モニタ２００により、警告などが表示される。警告が表示される場合には、検者が異常を確実に認識できる。
【００４４】
（フローチャート）
（装置全体のフローチャート）
以上の構成を、図１（ｂ）に示すブロック図と共に、図３（ａ）に示すフローチャートに沿って説明すると、以下のようになる。ここで、図１（ｂ）のＣＰＵ１１３は、レーザー光源１０１、シャッタ１０８、モニタ２００などを全体的に制御するものである。
【００４５】
測定が開始される（図３（ａ）のＳ１）と、レーザ光を遮り、レーザ光が装置外部に放射されないようにする確認（図３（ａ）のＳ２）を行う。次に、レーザ光を発生させる工程（図３（ａ）のＳ３）が進み、レーザー光源（測定光源を兼ねる）２０１を点灯し、レーザ光の出力を測定する工程（図３（ａ）のＳ４）で出力測定手段としての撮像素子１１２にてレーザ出力を測定する。
【００４６】
次に、レーザ出力と、記憶手段（不図示）に記憶されたレーザ光の出力と被検眼眼底に照射される照射量との換算式に基づき、換算する換算工程（図３（ａ）のＳ５）で、被検眼眼底に照射される照射量を換算する。換言すれば、被検眼に入射する光量を決定する。
【００４７】
そして、該換算された照射量の多寡の判別に基づいて、所定値以下であれば、ＣＰＵ１１３によりシャッタ１０８を切替え、シャッタ閉からシャッタ開へ切替える（図３（ａ）のＳ６、Ｓ７）。そして、図３（ａ）のＳ８で上述したオートアライメントを行った後に、図３（ａ）のＳ９でレーザー光による測定を行う。
【００４８】
即ち、光源と被検眼との間の光路に設けられる照射光学系で被検眼を照射する照射ステップと、照射光学系の光路を分岐する第１の光路分岐部材を備える第１の結像光学系で、被検眼で反射した光源の像を第１の像として結像する第１の結像ステップが開始される。一方、レーザ出力の測定（Ｓ４からＳ６、Ｓ９からＳ１０）に関しては、照射光学系の光路を分岐する第２の光路分岐部材を備える第２の結像光学系で、被検眼を介さない光源の像を第２の像として第１の像と異なる位置に結像する第２の結像ステップが介在する。
【００４９】
換算された照射量が所定値より大きい場合は、光量調整手段としてのＣＰＵ１１３により、レーザ光を調整する光量調整工程で光量の調整を行う（図３（ａ）のＳ１２）。光量調整工程のＳ１３では、ＣＰＵ１１３はレーザ光量の値が変化したか否かを判定して調整が有効か否かを判定する。光量調整が有効である状態では、図３（ａ）のＳ４に戻る。
【００５０】
光量調整が有効ではない状態であれば、図３（ａ）のＳ１４で制御不能な状態を知らせる手段としてモニタ２００に視覚的に警告する表示を行う、もしくは聴覚的に警告表示する。このように警告表示を行う状態とは、例えば、レーザ光源の出力制御ができない状態や、光学部材が破損していて異常な出力値が検出されている状態などの装置の異常や故障が発生している状態が該当する。
【００５１】
図３（ａ）のＳ９でレーザー光による測定を行うとき、同時にレーザ出力確認およびレーザ照射量の換算ができるため、図３（ａ）のＳ１０でレーザ照射量が所定値以下か否かを判断する。所定値以下の場合はＳ１５に進み、適正な測定値が得られ測定完了として良いかが判断され、良ければ測定完了（Ｓ１６）となる。図３（ａ）のＳ１０でレーザ照射量が所定値以下ではない場合はシャッタ１０８を閉じて光路０１を遮断し（Ｓ１１）、Ｓ１２へ進んでレーザ光源光量を調整する。また図３（ａ）のＳ１５で適正な測定値が得られずに測定完了とできない場合は、Ｓ８に戻って位置合わせをし直して再測定する。
【００５２】
ここで、レーザー光による測定を行うとき、同時にレーザ出力確認およびレーザ照射量の換算ができることを、図３（ａ）のＳ１０の詳細フローとして図３（ｂ）に、信号検出を示す図３（ｃ）と共に示す。撮像素子１１２における光学像を順次に各走査線で検出していくとき（Ｓ１０ａ）、１走査線に信号が３個ある走査線か否かが判断され（Ｓ１０ｂ）、Ｙｅｓであれば真中の信号Ｓｃを抽出し（Ｓ１０ｄ）、真中の信号Ｓｃの強度を出力する（Ｓ１０ｅ）。またＮｏであれば、第ｍ番目の走査線から第（ｍ＋１）番目の走査線の位置へ変更し（Ｓ１０ｃ）、１走査線に信号が３個ある走査線となるまで繰り返す。
【００５３】
以上、説明したように、本実施形態では測定中においても参照光の出力をモニタし、出力値が許容範囲内にあることを確認しながら測定できる。また、出力値が異常な値（許容範囲内にない場合）になったときには、光路を遮断すると共に光源光量を低下調整することが可能である。それによって、不適切とならないレーザ光束が被検眼へ照射されることが保証される。
【００５４】
（変形例１）
上述した実施形態では、測定リング像と参照スポット像を撮像する同一の撮像素子１１２を兼用し、本来測定スポット像として参照スポット像に重なるところ、プリズム１１０等により変位させて重ならないように相対的に変位させている。しかし、本発明はこれに限らず、図４に示すように、測定リング像と参照スポット像を異なる撮像素子１１２、１１２ａで別々に撮像するように構成し、測定リング像の位置と、参照スポット像の位置と、を重ならないように、しても良い。図４で、参照スポット像は、光分割ミラー１２６、ミラー１２７ａ、１２７ｂで反射された光束により、撮像素子１１２ａに形成される。
【００５５】
（変形例２）
上述した実施形態では、被検眼で反射した光源の像（第１の像）が本来撮像素子の中心位置に形成されるところ、プリズム１１０の作用で各経線方向へ変位した像としてリング像を形成させ、参照スポット像の位置と重ならないようにすることを説明した。しかし、本発明はこれに限らず、例えば被検眼角膜で反射した光源の像（第１の像）が撮像素子の中心位置に形成される一方、被検眼を介さない光源の像を第２の像として同じ撮像素子の中心位置から外れた位置に結像するよう参照光路に変位部材を設けても良い。
【００５６】
具体的には、ミラー１２７を紙面内で回転変位させて、撮像素子１１３の中心から外れた位置に参照スポット像を形成させることができる。
【００５７】
（変形例３）
上述した実施形態では、参照光の出力が許容範囲を超える場合、シャッタ１０８により被検眼を照射する照射光学系の光路を遮断状態へ切替えることを説明したが、本発明はこれに限られない。即ち、光源の光量調整を行わない場合には、シャッタ１０８を用いずに、光源１０１を消灯状態へ切替えるようにしても良い。
【００５８】
（その他の実施形態）
また、本発明は、眼科制御方法の各ステップをコンピュータに実行させるための眼科制御プログラムとして、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５９】
１０１・・測定光源、１０２・・レンズ、１０４・・穴あきミラー、１０８・・シャッタ、１０９・・リング状絞り、１１０：プリズム、１１１・・レンズ、１１２・・撮像素子、１２６、１２８・・光分割ミラー、２００・・モニタ、Ｅ・・被検眼
【図６】
2014083232.tif 000003
【図１】
2014083232.tif 000004
【図２】
2014083232.tif 000005
【図３】
2014083232.tif 000006
【図４】
2014083232.tif 000007
【図５】
2014083232.tif 000008